(57)【要約】【課題】  ガス、電気、水道などのメータは、一般的に、各家庭の敷地内で、家屋の側壁付近や裏に設置されていることが多く、そのため、メータ指針の確認のために検針者がメータ直近まで行く必要があることから作業効率が悪い。これを改善するため、本発明の検針用治具を使用することにより、簡便に検針することができる検針用治具を提供する。【手段】  透明樹脂性三角柱をメータ指針面のガラス窓またはガラス窓付近に取り付けて、プリズムとし、メータ側面方向より検針可能とした。【選択図】  なし【特許請求の範囲】
【請求項１】
三角柱形状の透明樹脂製プリズムを保持する検針用治具で、この三角柱形状の透明樹脂製プリズムは、三角柱の四角形の１面に両面テープ等を有しこれをガス、電気、水道メータ指針面のガラス窓またはガラス窓付近に取り付ける検針用治具。
【請求項２】
請求項１に記載の検針用治具を、メータ指針面のガラス窓またはガラス窓付近に取り付けその周囲をシール剤でシールした検針用治具。
【発明の詳細な説明】
【技術分野】
【０００１】
本発明は、家庭内に設置された電気やガス、水道などの使用量を示すメータの検針作業を容易に行うために使用される検針用部材に関するものである。より詳しくは、透明樹脂製三角柱を、メータに取り付けることにより容易にメータを読み取ることができる方法に関する。
【背景技術】
【０００２】
各家庭内や事業所などには、電気、ガスおよび水道などの使用量を示す計量メータが設置されています。これらの供給者からの派遣される作業者によって定期的に検針が行われるが、計量メータが、家の側面など、比較的に狭い場所に設置されている場合、または、高所に設置されている場合には、検針が不便であった。そのため、従来は、複数段階に伸縮可能な伸縮棒の先端部に鏡が設けられてなる検針用具を使用し、この鏡に計量メータの目盛りや数値を映し出して検針作業を行っていた。また、従来、特開平７−８８１９号公報に示されるように、カバーに保持されたプリズムが伸縮棒の先端部に設けられた検針用具もあった。
【特許文献１】特開平７−８８１９号公報
【発明の開示】
【発明が解決しようとする課題】
【０００３】
しかしながら、従来の検針用具を使用した検針方法では、検針者の技能に大きく左右された。たとえば、「６」と「９」の判別に誤りが生じたり、三角プリズムを付着させた検針用具では、毎回、角度の調整を行わねばならず、検針者の技能によっては、効率が、悪いという問題点を有している。
【０００４】
本発明は、上記従来の種々の工法において問題となる点を一挙に解決するためになされたもので、その目的は、家庭内および事業所などのガス、電気、水道のメータの検針作業を効率よく、且つ、精度を高めるための治具を提供することにある。
【課題を解決するための手段】
【０００５】
本発明者らは、前述の課題を解決するべく鋭意検討した。その結果、ガス、水道、電気のメータ指針面のガラス窓またはガラス窓付近に、三角柱状のプリズムを取り付けることにより、斜めの角度から簡単に検針できることを見出し、本発明を完成するに至った。
【０００６】
すなわち、請求項１の検針用治具は、上記の課題を解決するために、透明樹脂からなる三角柱を含むことを特徴としている。
【０００７】
上記の三角柱は、両端に直角二等辺三角形を有する三角柱である。３面の長方形の面は、すべて、バフ研磨し、透明性を発現させた。
【０００８】
請求項２の検針用治具は、上記の課題を解決するために、前記三角柱形状の透明樹脂製プリズムは、三角柱の四角形の１面に両面テープ有し、これをガス、電気、水道メータ指針面のガラス窓またはガラス窓付近に取り付けることを特徴としている。
【０００９】
請求項１の検針用治具の三角柱状プリズムは、両端に直角二等辺三角形を有する三角柱である。直角二等辺三角形の直角を狭角とする辺を有する長方形の面の一面に両面テープを塗付した。この三角柱状のプリズムをメータ指針面のガラス窓またはガラス窓付近に取り付けるために、両面テープを使用した。この三角柱状のプリズムは、屋外で使用される場合もあるため、両面テープは、耐候性、耐水性の良好なものを用いることが特に好ましい。
【００１０】
請求項２の検針用治具の三角柱状プリズムは、メータのガラス窓付近に両面テープで付着させた後、その周りにシール剤を塗付することで、水の浸入を防止することが可能となり、耐久性が向上する。本シール剤は、耐水性、耐候性、密着性を有する材料を使用することが好ましい。
【００１１】
上記の構成によれば、透明樹脂製三角柱を使用するという簡便な部材により、見えにくい場所に、電気、ガスおよび水道メータがある場合に、簡便に、且つ短時間に検針ができる治具を提供できる。
【発明の効果】
【００１２】
本発明の検針用治具は、ガス、電気および水道メータの検針の作業性の向上に優れており、この簡易な手段を用いて検針することにより、作業性の向上および正確性が向上され、作業時間も短縮化された。また、本発明の検針用治具を使用することにより、狭いところにあるメータの検針が容易となり、短時間で、且つ簡便に検針することが可能となった。
【発明を実施するための最良の形態】
【００１３】
本発明の三角柱形状の透明樹脂製プリズムは、透明樹脂を使用する。
【００１４】
本発明の三角柱形状の透明樹脂製プリズムの材料は、特に制限されず、例えば、アクリル樹脂、ポリスチレン樹脂、ポリカーボネート樹脂などが使用できる。これら例示の樹脂のうち、アクリル樹脂が特に好適である。
【００１５】
本発明の三角柱形状の透明樹脂製プリズムに使用される両面テープには、基材としては、アクリル樹脂、ポリエチレンテレフタレート樹脂、不織布、フォーム基材などが使用することができ、粘着剤は、アクリル系樹脂などが使用される。これらの両面テープのうち、基材および粘着剤は、アクリル系樹脂が特に好ましい。
【００１６】
上記の構成によれば、周囲をシールする材料としては、変性シリコーン樹脂、2液型エポキシ樹脂、ウレタン樹脂、水性アクリルエマルジョン樹脂、酢酸ビニル系エマルジョン樹脂、水性エポキシエステルエマルジョン樹脂などが使用される。耐候性、耐水性の優れた水系アクリルシリコーン樹脂が好ましい。
【００１７】
本発明の三角柱形状の透明樹脂製プリズムに使用されるシール剤には、可塑性を持たせるために、適宜、可塑剤（フタル酸ジオクチル）が、また、チキソ性付与剤として無機物質（例えば、シリカ、チタニア等のファインセラミック微粒子等）が、シール剤中に含有されていてもよい。
【００１８】
以上のように、本発明の部材を用いれば、簡便かつ、再現性よく、メータの検針を行うことができる。
【実施例】
【００１９】
以下に、本発明について、実験結果を示してさらに説明するが、本発明は、これら実施例に限定されるものではない。
〔実施例１〕
<透明樹脂製三角柱の作成>
樹脂      ：アクリル樹脂
形状      ：一辺を20ｍｍの辺を２辺有し、その間の角度が90度の直角二等辺三角形    
を、2面有し、高さ15ｍｍの三角柱
両面テープ：基材  ポリエステル（品番  No.5610  日東電工(株)製）
シール剤  ：変性シリコーン樹脂（品番  ペンギンシール2505  クリヤー  サンスター技研(株)製）
上記のアクリル三角柱を作成し、上記両面テープを介して、これをガスメータの使用量を読み取るガラス面に取り付けた。
取り付け方法は、検針者の目線に対して、三角柱の斜面が来るように取り付ける。
アクリル三角柱の周りを上記変性シリコーン樹脂でシールした。
試験方法
高さ1.5ｍの位置に検針者に対してガスメータ側面が向き合うようにガスメータを設置し、これに本発明の透明樹脂製プリズムを取り付けた。そのメータより1ｍは離れた位置より、目視にて使用量を読み取った。
〔実施例２〕
<透明樹脂製三角柱の作成>
樹脂      ：アクリル樹脂
形状      ：一辺を20ｍｍの辺を２辺有し、その間の角度が90度の直角二等辺三角形    
を、2面有し、高さ15ｍｍの三角柱
両面テープ：基材  ポリエステル（品番  VHB  Y-4910J  住友スリーエム(株)製）
シール剤  ：変性シリコーン樹脂（品番  ペンギンシール2505  クリヤー  サンスター技研(株)製）
上記のアクリル三角柱を作成し、上記両面テープを介して、これをガスメータの使用量を読み取るガラス面に取り付けた。
取り付け方法は、検針者の目線に対して、三角柱の斜面が来るように取り付ける。
アクリル三角柱の周りを上記変性シリコーン樹脂でシールした。
試験方法
高さ1.5ｍの位置に検針者に対してガスメータ側面が向き合うようにガスメータを設置し、これに本発明の透明樹脂製プリズムを取り付けた。そのメータより1ｍは離れた位置より、目視にて使用量を読み取った。
〔実施例３〕
<透明樹脂製三角柱の作成>
樹脂      ：アクリル樹脂
形状      ：一辺を20ｍｍの辺を２辺有し、その間の角度が90度の直角二等辺三角形    
を、2面有し、高さ15ｍｍの三角柱
両面テープ：基材  ポリエステル（品番  VHB  Y-4905J  住友スリーエム(株)製）
シール剤  ：水性アクリルシリコーン樹脂（品番  ポリデュレックス  Ｇ−６１５  旭化成ケミカルズ(株)製）
上記のアクリル三角柱を作成し、上記両面テープを介して、これをガスメータの使用量を読み取るガラス面に取り付けた。
取り付け方法は、検針者の目線に対して、三角柱の斜面が来るように取り付ける。
アクリル三角柱の周りを上記アクリルシリコーン樹脂を塗布してシールした。
試験方法
高さ1.5ｍの位置に検針者に対してガスメータ側面が向き合うようにガスメータを設置し、これに本発明の透明樹脂製プリズムを取り付けた。そのメータより1ｍは離れた位置より、目視にて使用量を読み取った。
〔比較例１〕
試験方法
高さ1.5ｍの位置に測定者に対してガスメータ側面が向き合うようにガスメータを設置し、これに本発明の透明樹脂製プリズムを取り付けず、そのメータより1ｍは離れた位置より、目視にて使用量を読み取った。
試験結果
2006330036.tif 000002